(57)【要約】【課題】本発明は、柔軟性があり、硬化時に体積収縮をおこさない保護膜を与える硬化組成物用の樹脂を形成するモノマーとして好適なアクリル誘導体モノマーを提供することを課題とする。【解決手段】四価アルコールの水酸基の一つが（メタ）アクリロイル基によって置換され、残りの三つの水酸基が特定の分岐構造を有するアシル基で置換されたエステルによって課題が解決される。分岐構造を有するアシル基としては環構造を含まず、二つ以上の分岐を有する、炭素数６〜９のアシル基又は環構造を含まず、分岐を有する、炭素数１０〜２２のアシル基が好ましい。【選択図】なし【特許請求の範囲】
【請求項１】
下記一般式（Ｉ）で表される四価アルコールのエステル。
一般式（Ｉ）
【化１】
2014009274.tif 000025
（Ｉ）
（一般式（Ｉ）中Ｒ１は水素原子または炭素数１〜３のアルキル基を表し、Ｒ２，Ｒ３，Ｒ４は同一でも異なっていてもよく、環構造を含まない、分岐を有する、炭素数６〜２２のアシル基を表す。Ｐは四価のアルコールからＯＨ基が脱離した基を表す。）
【請求項２】
下記一般式（ＩＩ）で表されることを特徴とする請求項１記載のエステル。
一般式（ＩＩ）
【化２】
2014009274.tif 000026
（ＩＩ）
（一般式（ＩＩ）中Ｒ５は水素原子または炭素数１〜３のアルキル基を表し、Ｒ６，Ｒ７，Ｒ８は同一でも異なっていてもよく、環構造を含まない、分岐を有する、炭素数１０〜２２のアシル基を表す。Ｑは四価のアルコールからＯＨ基が脱離した基を表す。）
【請求項３】
下記一般式（ＩＩＩ）で表されることを特徴とする請求項１記載のエステル。
一般式（ＩＩＩ）
【化３】
2014009274.tif 000027
（ＩＩＩ）
（一般式（ＩＩＩ）中Ｒ９は水素原子または炭素数１〜３のアルキル基を表し、Ｒ１０，Ｒ１１，Ｒ１２は同一でも異なっていてもよく、環構造を含まない、２つ以上の分岐を有する炭素数６〜９のアシル基を表す。Sは四価のアルコールからＯＨ基が脱離した基を表す。）
【請求項４】
四価のアルコールがジグリセリン、ペンタエリスリトール、エリスリトール、Ｄ−トレイトール、Ｌ−トレイトールからなる群から選択される四価のアルコールであることを特徴とする請求項１〜３いずれか１項に記載のエステル。
【発明の詳細な説明】
【技術分野】
【０００１】
本発明は、新規な四価アルコールのエステル、更に詳細には、硬化組成物用樹脂を形成するモノマーとして好適な新規な四価アルコールのエステルに関する。
【背景技術】
【０００２】
種々の基材に対するハードコート材、有機デバイス用封止材等の表面保護材料には、表面保護のための表面硬度はもちろんのこと、複雑な基材の表面構造にフィットするための柔軟性が必要とされている。また、柔軟性ばかりでなく、基材表面を均一に被覆するためには、硬化時に体積収縮を起こさないことも要求されている。
【０００３】
ところで、（メタ）アクリル酸誘導体モノマーは反応性が高く、重合反応による硬化が比較的良好で、硬化剤、すなわち、重合開始剤を選択することにより、ＵＶ照射により、高温を必要としない硬化が可能であり、種々の、（メタ）アクリル酸誘導体モノマーを含有する硬化組成物が用いられてきた。しかしながら、これらのモノマーは、硬化後の保護被膜が柔軟性（かとう性）は有するものの、硬化時に保護膜が体積収縮を起こすという課題が生じる場合があった。
【０００４】
体積収縮を小さくするためには、立体障害が大きい分岐構造を有するアクリルモノマーを硬化組成物に用いる手法がある（例えば、特許文献１、特許文献２及び特許文献３参照）。しかしながら、これらのアクリルモノマーを含有する硬化性組成物が形成する保護膜では、柔軟性が低下するという課題が生じる場合があった。すなわち、柔軟性が高く、硬化時に体積収縮を起こさない保護膜を与える、硬化組成物用のアクリル誘導体モノマーの開発が望まれていた。
【０００５】
一方、四価アルコールの水酸基の一つが（メタ）アクリロイル基によって置換され、残りの三つの水酸基が特定の分岐構造を有するアシル基で置換されたエステルは、既存文献に未記載の化合物であり、該化合物を硬化組成物に用いた場合、柔軟性があり、硬化時に体積収縮をおこさない保護膜を与えることは知られていなかった。
【先行技術文献】
【特許文献】
【０００６】
【特許文献１】特開平０７−８２２１６号公報
【特許文献２】特開平０７−８２２１６号公報
【特許文献３】特開平１０−２７９５２７号公報
【発明の開示】
【発明が解決しようとする課題】
【０００７】
本発明は、柔軟性があり、硬化時に体積収縮をおこさない保護膜を与える硬化組成物用の樹脂を形成するモノマーとして好適なアクリル誘導体モノマーを提供することを課題とする。
【課題を解決するための手段】
【０００８】
このような状況を鑑み、本発明者等は、柔軟性があり、硬化時に体積収縮をおこさない保護膜を与える硬化組成物用のアクリル誘導体モノマーを求めて鋭意研究した結果、四価アルコールの水酸基の一つが（メタ）アクリロイル基によって置換され、残りの三つの水酸基が特定の分岐構造を有するアシル基で置換されたエステルが、柔軟性があり、硬化時に体積収縮をおこさない保護膜を与える硬化組成物用として好適であることを見出し、本発明に至った。すなわち、本発明は以下の通りである。
（１）下記一般式（Ｉ）で表される四価アルコールのエステル。
一般式（Ｉ）
【化１】
2014009274.tif 000002
（Ｉ）
（一般式（Ｉ）中Ｒ１は水素原子または炭素数１〜３のアルキル基を表し、Ｒ２，Ｒ３，Ｒ４は同一でも異なっていてもよく、環構造を含まない、分岐を有する、炭素数６〜２２のアシル基を表す。Ｐは四価のアルコールからＯＨ基が脱離した基を表す。）
（２）下記一般式（ＩＩ）で表されることを特徴とする（１）記載のエステル。
一般式（ＩＩ）
【化２】
2014009274.tif 000003
（ＩＩ）
（一般式（ＩＩ）中Ｒ５は水素原子または炭素数１〜３のアルキル基を表し、Ｒ６，Ｒ７，Ｒ８は同一でも異なっていてもよく、環構造を含まない、分岐を有する、炭素数１０〜２２のアシル基を表す。Ｑは四価のアルコールからＯＨ基が脱離した基を表す。）
（３）下記一般式（ＩＩＩ）で表されることを特徴とする（１）記載のエステル。
一般式（ＩＩＩ）
【化３】
2014009274.tif 000004
（ＩＩＩ）
（一般式（ＩＩＩ）中Ｒ９は水素原子または炭素数１〜３のアルキル基を表し、Ｒ１０，Ｒ１１，Ｒ１２は同一でも異なっていてもよく、環構造を含まない、２つ以上の分岐を有する炭素数６〜９のアシル基を表す。Sは四価のアルコールからＯＨ基が脱離した基を表す。）
（４）四価のアルコールがジグリセリン、ペンタエリスリトール、エリスリトール、Ｄ−トレイトール、Ｌ−トレイトールからなる群から選択される四価のアルコールであることを特徴とする（１）〜（３）いずれかに記載のエステル。
【発明の効果】
【０００９】
本発明よれば、柔軟性があり、硬化時に体積収縮をおこさない保護膜を与える硬化組成物用の樹脂を形成するモノマーとして好適なアクリル誘導体モノマーが提供される。
【発明を実施するための最良の形態】
【００１０】
以下、本発明を詳細に説明する。
本発明は下記一般式（Ｉ）で表される新規な四価アルコールのエステルである。
一般式（Ｉ）
【化４】
2014009274.tif 000005
（Ｉ）
（一般式（Ｉ）中Ｒ１は水素原子または炭素数１〜３のアルキル基を表し、Ｒ２，Ｒ３，Ｒ４は同一でも異なっていてもよく、環構造を含まない、分岐を有する、炭素数６〜２２のアシル基を表す。Ｐは四価のアルコールからＯＨ基が脱離した基を表す。）
【００１１】
ここで、Ｒ１で表されるアルキル基としては、メチル基、エチル基、プロピル基、イソプロピル基、シクロプロピル基等が例示できる。本発明において、Ｒ１は水素原子又はメチル基であることが好ましい。
【００１２】
また、Ｒ２，Ｒ３，Ｒ４で表される環構造を含まない、分岐を有する炭素数６〜２２のアシル基としては、２−メチルペンタノイル基、３−メチルペンタノイル基、４−メチルペンタノイル基、２−エチルブタノイル基、２−エチルブタノイル基、２，２−ジメチルブタノイル基、３，３−ジメチルブタノイル基、２−メチルヘキサノイル基、４−メチルヘキサノイル基、５−メチルヘキサノイル基、２，２−ジメチルペンタノイル基、４，４−ジメチルペンタノイル基、２−メチルヘプタノイル基、２−エチルヘキシル基、２−プロピルペンタノイル基、２，２−ジメチルヘキサノイル基、２，２，３−トリメチルペンタノイル基、２−メチルオクタノイル基、３，５，５−トリメチルヘキサノイル基、２−メチルノナノイル基、４−メチルノナノイル基、８−メチルノナノイル基、４−エチルオクタノイル基、２−エチルオクタノイル基、２−ブチルヘキサノイル基、２−tert−ブチルヘキサノイル基、２，２−ジエチルヘキサノイル基、２，２−ジメチルオクタノイル基、３，７−ジメチルオクタノイル基、ネオデカノイル基、７−メチルデカノイル基、２−メチル−２−エチルオクタノイル基、２−メチルウンデカノイル基、１０−メチルウンデカノイル基、２，２ジメチルデカノイル基、２−エチルデカノイル基、２−ブチルオクタノイル基、ジエチルオクタノイル基、２−tert−ブチル−２，２，４−トリメチルペンタノイル基、１０−メチルドデカノイル基、３−メチルドデカノイル基、４−メチルドデカノイル基、１１−メチルドデカノイル基，１０−エチルウンデカノイル基、１２−メチルトリデカノイル基、２−ブチルデカノイル基、２−ヘキシルオクタノイル基、２−ブチル−２−エチルオクタノイル基、１２−メチルテトラデカノイル基、１４−メチルペンタデカノイル基、２−ブチルドデカノイル基、２−ヘキシルデカノイル基、１６−メチルヘプタデカノイル基、２，２−ジメチルヘキサノイル基、２−ブチルヘキサデカノイル基、２−ヘキシルドデカノイル基、２，４，１０，１４−テトラメチルペンタノイル基、１８−メチルノナデカノイル基、３，７，１１，１５−テトラ−メチルヘキサデカノイル基、１９−メチルエイコサノイル基等を例示することができる。
【００１３】
上記一般式（Ｉ）で表される四価アルコールのエステルの中でも特に好ましいものとして、下記一般式（ＩＩ）又は（ＩＩＩ）で表される四価アルコールのエステルが挙げられる。
一般式（ＩＩ）
【化５】
2014009274.tif 000006
（ＩＩ）
（一般式（ＩＩ）中Ｒ５は水素原子または炭素数１〜３のアルキル基を表し、Ｒ６，Ｒ７，Ｒ８は同一でも異なっていてもよく、環構造を含まない、分岐を有する、炭素数１０〜２２のアシル基を表す。Ｑは四価のアルコールからＯＨ基が脱離した基を表す。）
一般式（ＩＩＩ）
【化６】
2014009274.tif 000007
（ＩＩＩ）
（一般式（ＩＩＩ）中Ｒ９は水素原子または炭素数１〜３のアルキル基を表し、Ｒ１０，Ｒ１１，Ｒ１２は同一でも異なっていてもよく、環構造を含まない、２つ以上の分岐を有する炭素数６〜９のアシル基を表す。Sは四価のアルコールからＯＨ基が脱離した基を表す。）
【００１４】
ここで、Ｒ５，Ｒ９で表されるアルキル基としては、メチル基、エチル基、プロピル基、イソプロピル基、シクロプロピル基等が例示できる。本発明において、Ｒ５，Ｒ９は水素原子又はメチル基であることが好ましい。
【００１５】
Ｒ６，Ｒ７，Ｒ８で表される、環構造を含まない、分岐を有する炭素数１０〜２２のアシル基としては、２−メチルノナノイル基、４−メチルノナノイル基、８−メチルノナノイル基、４−エチルオクタノイル基、２−エチルオクタノイル基、２−ブチルヘキサノイル基、２−tert−ブチルヘキサノイル基、２，２−ジエチルヘキサノイル基、２，２−ジメチルオクタノイル基、３，７−ジメチルオクタノイル基、ネオデカノイル基、７−メチルデカノイル基、２−メチル−２−エチルオクタノイル基、２−メチルウンデカノイル基、１０−メチルウンデカノイル基、２，２ジメチルデカノイル基、２−エチルデカノイル基、２−ブチルオクタノイル基、ジエチルオクタノイル基、２−tert−ブチル−２，２，４−トリメチルペンタノイル基、１０−メチルドデカノイル基、３−メチルドデカノイル基、４−メチルドデカノイル基、１１−メチルドデカノイル基，１０−エチルウンデカノイル基、１２−メチルトリデカノイル基、２−ブチルデカノイル基、２−ヘキシルオクタノイル基、２−ブチル−２−エチルオクタノイル基、１２−メチルテトラデカノイル基、１４−メチルペンタデカノイル基、２−ブチルドデカノイル基、２−ヘキシルデカノイル基、１６−メチルヘプタデカノイル基、２，２−ジメチルヘキサノイル基、２−ブチルヘキサデカノイル基、２−ヘキシルドデカノイル基、２，４，１０，１４−テトラメチルペンタノイル基、１８−メチルノナデカノイル基、３，７，１１，１５−テトラ−メチルヘキサデカノイル基、１９−メチルエイコサノイル基等を例示することができる。
【００１６】
また、Ｒ１０，Ｒ１１，Ｒ１２で表される、環構造を含まない、２つ以上の分岐を有する炭素数６〜９のアシル基としては、２，２−ジメチルブタノイル基、３，３−ジメチルブタノイル基、２，２−ジメチルペンタノイル基４，４−ジメチルペンタノイル基、２，２−ジメチルヘキサノイル基、２，２，３−トリメチルペンタノイル基、３，５，５−トリメチルヘキサノイル基等を例示することができる。
【００１７】
さらに、Ｐ，Ｑ，Ｓで表される、四価アルコールから誘導される基は、四価アルコールから、ＯＨ基が離脱した基であれば特に限定されないが、ジグリセリン、ペンタエリスリトール、エリスリトール、Ｄ−トレイトール、Ｌ−トレイトールからなる群から選択される四価アルコールから、ＯＨ基が離脱した基が好適に例示できる。
【００１８】
本発明の四価アルコールのエステルは例えば、以下の方法で合成することが可能である。
なお、ステップa)及びb)の具体的な方法に関しては、US特許４，４０５，７９８、Anne Buyle Padias, H. K. Hall Jr. Macromolecules 15， 217(1982)等に記載されている。
a）四価アルコールの三つのOH基をエステル化しマスキングする。
b）aで合成し化合物と（メタ）アクリル酸又は（メタ）アクリル酸無水物又は（メタ）アクリル酸クロライドを反応させる。得られたエステルをさらに加水分解し、四価アルコールのモノ（メタ）アクリル酸エステルを合成する。
c）bで得られた四価アルコールのモノ（メタ）アクリル酸エステルと所定の分岐構造を有するカルボン酸又はその無水物又はそのクロライドとを反応させ、本発明の四価アルコールのエステルを得る。
【実施例】
【００１９】
以下、実施例を挙げて本発明を具体的に説明するが、本発明がこれら実施例にのみ限定されないことは言うまでもない。
【００２０】
＜製造例１＞ペンタエリスリトールモノアクリレートの合成
工程（１）攪拌器、冷却器付３Ｌの４つ口フラスコに、ペンタエリスリトール３４．０ｇ、オルトギ酸トリエチル（シグマ−アルドリッチ社製）３７．０ｇ、フタル酸ジオクチル（東京化成工業（株）製）７５０ｍｌ及びパラトルエンスルフォン酸（東京化成工業（株）製）０．１ｇをとり攪拌混合した。その後、１４０℃に加熱し、２．５時間反応を行った。反応終了後、減圧蒸留により精製を行って、一般式（ＩＶ）で表される、４−（ヒドロキシメチル）−２，６，７−トリオキサビシクロ[２，２，２]オクタン（化合物１）を得た。
一般式（ＩＶ）
【化７】
2014009274.tif 000008
（ＩＶ）
【００２１】
工程（２）攪拌装置を備えた反応容器中で、工程（１）で得た化合物１を２９．２ｇ、トリエチルアミン５０．０ｇをテトラヒドロフラン３００ｍｌに溶解した。得られた溶液を氷冷、攪拌しながら、アクリル酸クロライド（東京化成工業（株）製）１８．１ｇをテトラヒドロフラン１００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して一般式（Ｖ）で表される４−（アクリロキシメチル）−２．６．７−トリオキサシクロ [２，２，２]オクタン（化合物２）を得た。
一般式（Ｖ）
【化８】
2014009274.tif 000009
（Ｖ）
【００２２】
工程（３）攪拌器、冷却器付の容器中で、４０．０ｇの工程（２）で得た化合物２を水３００ｍｌに攪拌溶解した。その後、攪拌を続けながら、７０℃で６時間反応を行った後、水を蒸発除去し、乾燥を行って、一般式（ＶＩ）で表されるペンタエリスリトールモノアクリレートを得た。
一般式（ＶＩ）
【化９】
2014009274.tif 000010
（ＶＩ）
【００２３】
＜製造例２〜６＞
製造例１の工程（１）におけるペンタエリスリトール、工程（２）における工程（１）で得られる化合物の仕込み量及び（メタ）アクリル酸クロライド、工程（３）における工程（２）で得られる化合物の仕込み量を表１のように変更し、四価アルコールのモノ（メタ）アクリル酸エステルを合成した。四価のアルコール及びその仕込み量、工程（１）で得られる化合物及びその仕込み量、工程（２）で得られる化合物及びその仕込み量、得られるモノ（メタ）アクリル酸エステルについて表１に示す。また、製造例２〜６の反応工程をスキーム１〜５に示す。
【００２４】
【表１】
2014009274.tif 000011
＊ １）東京化成工業（株）製
＊ ２）東京化成工業（株）製
【００２５】
スキーム１  製造例２の反応工程
【化１０】
2014009274.tif 000012
【００２６】
スキーム２  製造例３の反応工程
【化１１】
2014009274.tif 000013
【００２７】
スキーム３  製造例４の反応工程
【化１２】
2014009274.tif 000014
【００２８】
スキーム４  製造例５の反応工程
【化１３】
2014009274.tif 000015
【００２９】
スキーム５  製造例６の反応工程
【化１４】
2014009274.tif 000016
【００３０】
＜実施例１＞
攪拌機及び冷却管を備えた反応容器に、１６−メチルヘプタデカン酸（シグマ−アルドリッチ社製）２８．４ｇ及び塩化チオニル３５．７ｇ（東京化成工業（株）製）、ベンゼン２００ｍｌをとり攪拌混合した。攪拌を続けながら、リフラックスを4時間行った後、減圧蒸留による精製を行って、１６−メチルヘプタデカン酸クロライドを得た。
【００３１】
攪拌装置を備えた反応容器中で、ペンタエリスリトールモノアクリレート（製造例１で得た化合物）１９．０ｇ、トリエチルアミン３０．０ｇをテトラヒドロフラン５００ｍｌに溶解した。得られた溶液を氷冷、攪拌しながら、上記で得た１６−メチルヘプタデカン酸クロライド９０．９ｇをテトラヒドロフラン２００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（ＶＩＩ）で表される、本発明の四価アルコールのエステルであることが確認された。
一般式（ＶＩＩ）
【化１５】
2014009274.tif 000017
（ＶＩＩ）
【００３２】
＜実施例２＞
攪拌装置を備えた反応容器中で、ジグリセリンモノアクリレート（製造例４で得た化合物）４４．０ｇ、トリエチルアミン５０．０ｇをテトラヒドロフラン５００ｍｌに溶解した。得られた溶液を氷冷、攪拌しながら、２−エチルヘキサン酸クロライド（シグマ−アルドリッチ社製）９７．６ｇをテトラヒドロフラン２００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（ＶＩＩＩ）で表される、本発明の四価アルコールのエステルであることが確認された。
一般式（ＶＩＩＩ）
【化１６】
2014009274.tif 000018
（ＶＩＩＩ）
【００３３】
＜実施例３＞
攪拌機及び冷却管を備えた反応容器に、２−ブチル−２−エチルオクタン酸（シグマ−アルドリッチ社製）２２．８ｇ及び塩化チオニル３５．７ｇ（東京化成工業（株）製）、ベンゼン２００ｍｌをとり攪拌混合した。攪拌を続けながら、リフラックスを4時間行った後、減圧蒸留による精製を行って、２−ブチル−２−エチルオクタン酸クロライドを得た。
【００３４】
攪拌装置を備えた反応容器中で、エリスリトールモノアクリレート（製造例５で得た化合物）１７．６ｇ、トリエチルアミン３０．０ｇをテトラヒドロフラン３００ｍｌに溶解した。得られた溶液を氷冷、攪拌しながら、上記で得た２−ブチル−２−エチルオクタン酸クロライド７４．０ｇをテトラヒドロフラン２００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（ＩＸ）で表される、本発明の四価アルコールのエステルであることが確認された。
一般式（ＩＸ）
【化１７】
2014009274.tif 000019
（ＩＸ）
【００３５】
＜実施例４＞
攪拌装置を備えた反応容器中で、ペンタエリスリトールモノメタクリレート（製造例２で得た化合物）４０．８ｇ、トリエチルアミン５０．０ｇをテトラヒドロフラン５００ｍｌに溶解した。得られた溶液を氷冷、攪拌しながら、３，５，５−トリメチルヘキサン酸クロライド（シグマ−アルドリッチ社製）１０６．０ｇをテトラヒドロフラン２００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（Ｘ）で表される、本発明の四価アルコールのエステルであることが確認された。
一般式（Ｘ）
【化１８】
2014009274.tif 000020
（Ｘ）
【００３６】
＜実施例５＞
攪拌機及び冷却管を備えた反応容器に、１９−メチルエイコサン酸（シグマ−アルドリッチ社製）３２．７ｇ及び塩化チオニル３５．７ｇ（東京化成工業（株）製）、ベンゼン２００ｍｌをとり攪拌混合した。攪拌を続けながら、リフラックスを4時間行った後、減圧蒸留による精製を行って、１９−メチルエイコサン酸クロライドを得た。
【００３７】
攪拌装置を備えた反応容器中で、ジグリセリンモノメタクリレート（製造例３で得られた化合物）２３．４ｇ、トリエチルアミン５０．０ｇをテトラヒドロフラン３００ｍｌに溶解した。得られた溶液を氷冷、攪拌しながら、上記で得た１９−メチルエイコサン酸クロライド１０３．５ｇをテトラヒドロフラン２００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（ＸＩ）で表される、本発明の四価アルコールのエステルであることが確認された。
一般式（ＸＩ）
【化１９】
2014009274.tif 000021
（ＸＩ）
【００３８】
＜実施例６＞
攪拌機及び冷却管を備えた反応容器に、２，２−ジメチルオクタン酸（シグマ−アルドリッチ社製）１７．２ｇ及び塩化チオニル３５．７ｇ（東京化成工業（株）製）、ベンゼン２００ｍｌをとり攪拌混合した。攪拌を続けながら、リフラックスを4時間行った後、減圧蒸留による精製を行って、２，２−ジメチルオクタン酸クロライドを得た。
【００３９】
攪拌装置を備えた反応容器中で、エリスリトールモノメタクリレート（製造例６で得られた化合物）１９．０ｇ、トリエチルアミン３０．０ｇをテトラヒドロフラン３００ｍｌに溶解した。得られた溶液を氷冷、攪拌しながら、上記で得た２，２−ジメチルオクタン酸クロライド５７．２ｇをテトラヒドロフラン１００ｍｌに溶解してなる溶液を２時間かけて滴下した。滴下終了後、生成した白色沈殿を濾過し、濾液からロータリーエバポレーターを用いてテトラヒドロフラン及びトリエチルアミンを除去して生成物を得た。ＮＭＲ測定により、得られた化合物が、一般式（ＸＩＩ）で表される、本発明の四価アルコールのエステルであることが確認された。
一般式（ＸＩＩ）
【化２０】
2014009274.tif 000022
（ＸＩＩ）
【００４０】
＜試験例１＞硬化組成物の硬化時における体積収縮率の測定
実施例１〜６の四価アルコールエステル、比較例1としてメタクリル酸ｎドデシル（ＤＭＡと省略  東京化成工業（株）製）、比較例2として特開平０7−８２２１６号公報実施例１記載の方法で得たアクリル酸エステル（Ｃ１３−Ａと省略）、硬化剤としてのトリメチロールプロパントリアクリレート（ＴＭＰＡと省略  大阪有機化学工業（株）製）及び光重合開始剤としてのＩｒｇａｃｕｒｅ  １８４（ＩＲ１８４と省略）チバガイギー社製を表２記載の組成で混合し、ＵＶ硬化組成物を調製した。なお、表２中の数字は質量％を意味する。
次に、このＵＶ硬化組成物をシャーレーに１０ｍｌとり、そこへ紫外線を３２０ｍＪ／ｃｍ２光量で照射し、硬化組成物を硬化させた。硬化後の体積を測定し、硬化時の収縮率を求めた。結果を表３に示す。
【００４１】
【表２】
2014009274.tif 000023
【００４２】
＜試験例２＞硬化被膜の表面硬度
試験例１で硬化させた硬化物の表面硬度を１Ｈ〜６Ｈの鉛筆を用い、鉛筆硬度試験（旧 JIS K5400）を実施した。結果を表3に示す。
【００４３】
＜試験例３＞硬化被膜のかとう性（柔軟性）
試験例１で用いたＵＶ硬化組成物をテフロン（登録商標）フィルム上に塗布し、試験例１と同様の条件で紫外線を照射し、硬化膜を調製した。この硬化膜を前後に曲げ、膜表面にクラックが入るまでこの操作を繰り返し、クラックが生じる折り曲げ回数を被膜の柔軟性とした。折り曲げ回数が多いほど柔軟性が高いことを意味する。結果を表3に示す。
【００４４】
【表３】
2014009274.tif 000024
表３から明らかなように、本発明のエステルを含有する硬化組成物が形成する被膜は、表面硬度が高く、且つ硬化時の体積収縮率が低く、柔軟な被膜を与えることが実証された。
【産業上の利用可能性】
【００４５】
本発明のエステルは硬化組成物用モノマーとして有用である。